(57)【要約】      （修正有）【課題】板チョコレートを割る感覚をリアルに、何度でも繰り返して味わうことを可能とする玩具を提供する。【解決手段】動作玩具は、複数の上側チョコレート片部材２０１ａ、２０１ｂ、２０１ｃと、複数の上側チョコレート片部材と対向する複数の下側チョコレート片部材２０３ａ、２０３ｂ、２０３ｃと、複数の上側チョコレート片部材と複数の下側チョコレート片部材との間に設けられた板バネ部材２０２とを有する。なお、１つの上側チョコレート片と１つの下側チョコレート片とで、一つのチョコレート片を形成し、チョコレート片は、隣り合う他のチョコレート片と回動自在に接続されている。【選択図】図２
0003157298.tif 000002
【実用新案登録請求の範囲】
【請求項１】
複数の上側食品片部材と、
前記複数の上側食品片部材と対向する複数の下側食品片部材と、
前記複数の上側食品片部材と前記複数の下側食品片部材との間に設けられた板バネ部材と、を有する擬似板状食品動作玩具。
【請求項２】
請求項１において、
１つの前記上側食品片と１つの前記下側食品片とで、一つの食品片を形成し、前記食品片は、隣り合う他の食品片と回動自在に接続されている擬似板状食品動作玩具。
【請求項３】
請求項２において、
前記食品片は、棒状部材を介して前記隣り合う食品片と回転自在に接続されている擬似板状食品動作玩具。
【請求項４】
請求項乃至請求項３のいずれか一項において、
前記板バネ部材は、短辺方向から見て下側又は上側に湾曲している擬似板状食品動作玩具。
【考案の詳細な説明】
【技術分野】
【０００１】
本考案は、板状の食品（以下、板状食品という）を割る感触を擬似的に再現する玩具に関する。
【背景技術】
【０００２】
従来、気泡緩衝材の気泡部分を潰す感覚を何度でも味わうことが可能な玩具が提案されている（例えば、特許文献１）。特許文献１において、気泡緩衝材の気泡部分を模したボタン部を押圧することにより、スピーカーから気泡部分の破裂音を模した音声を出力するボタン付き玩具が提案されている。
【特許文献１】実用新案登録第３１３４２２１号公報
【考案の開示】
【考案が解決しようとする課題】
【０００３】
しかしながら、特許文献１に示すボタン付き玩具は、音声出力用のスピーカーや、出力音声を制御する制御部等が必要であり、構造が複雑になるという問題があった。
【０００４】
そこで、本考案では、簡単な構成で板状食品を割る感覚をリアルに、何度でも繰り返して味わうことを可能とし、かつ、遊戯的要素が追加された玩具を提供することを目的とする。
【課題を解決するための手段】
【０００５】
本考案の擬似板状食品動作玩具は、複数の上側食品片部材と、複数の上側食品片部材と対向する複数の下側食品片部材と、複数の上側食品片部材と複数の下側食品片部材との間に設けられた板バネ部材とを有する。
【０００６】
なお、本考案の擬似板状食品動作玩具において、１つの上側食品片と１つの下側食品片とで、一つの食品片を形成し、食品片は、隣り合う他の食品片と回動自在に接続されていることが好ましい。また、食品片は、棒状部材を介して隣り合う食品片と回転自在に接続されていることが好ましい。また、板バネ部材は、短辺方向から見て下側又は上側に湾曲していることが好ましい。
【考案の効果】
【０００７】
本考案により、板状食品を割る感覚をリアルに、何度でも繰り返して味わうことを可能とし、興趣性が高く、楽しい気分にさせる玩具を提供することができる。
【考案を実施するための最良の形態】
【０００８】
本実施形態に対応する動作玩具１００の外観を図１に、動作玩具１００の組み立て図の模式図を図２に示す。本実施形態では、板状食品として、板状のチョコレートをモチーフにした動作玩具を例に挙げて説明する。なお、板状食品としては板状のチョコレートに限らず、せんべいやクッキー等割る動作を行うものであればどのような食品でも良い。
【０００９】
本実施の形態における動作玩具１００は、図２に示すように、第１の上側チョコレート片部材２０１ａと、第２の上側チョコレート片部材２０１ｂと、第３の上側チョコレート片部材２０１ｃと、板バネ部材２０２と、第１の下側チョコレート片部材２０３ａと、第２の下側チョコレート片部材２０３ｂと、第３の下側チョコレート片部材２０３ｃと、第１の棒状部材２０４と、第２の棒状部材２０５とを有する。
【００１０】
ここで、第１の上側チョコレート片部材２０１ａと第１の下側チョコレート片部材２０３ａは対向してネジ止めされることにより、チョコレート片１０１を形成し、第２の上側チョコレート片２０１ｂと第２の下側チョコレート片部材２０３ｂは対向してネジ止めされることにより、チョコレート片１０２を形成し、第３の上側チョコレート片部材２０１ｃと第２の下側チョコレート片部材２０３ｃは対向してネジ止めされることにより、チョコレート片１０３を形成する。
【００１１】
そして、チョコレート片１０１と隣り合うチョコレート片１０２は、第１の棒状部材２０４を介して回動自在に接続されており、チョコレート片１０２と隣り合うチョコレート片１０３は、第２の棒状部材２０５を介して回動自在に接続されている。
【００１２】
また、第１〜第３の上側チョコレート片部材２０１ａ〜２０１ｃと、第１〜第３の下側チョコレート片部材２０３ａ〜２０３ｃとの間に、板バネ部材２０２が設けられている。
【００１３】
なお、本実施の形態では、第１の上側チョコレート片部材２０１ａは、側端部に開口部２０６を有する突起部２０７を有しており、第２の上側チョコレート片部材２０１ｂは、第１の上側チョコレート片部材２０１ａと対向する側に突出部２０８を有しており、突出部２０８の両端部に開口部２０９を有している。なお、突出部２０８は、第１の上側チョコレート片２０１ａと対向した際に、突起部２０７の内側に収まるよう形成されている。そして、第１の上側チョコレート片部材２０１ａの開口部２０６と、第２の上側チョコレート片部材２０１ｂの開口部２０９に、第１の棒状部材２０４を挿入して嵌め合わせることにより、第１の上側チョコレート片部材２０１ａと第２の上側チョコレート片部材２０１ｂとを回動自在に接続することができる。
【００１４】
ここで、図１、図３、図４を参照して動作玩具１００を動作したときの変化について説明する。なお、図１の点Ａと点Ｂを結ぶ破線における断面図を図４（Ａ）に示し、図３の点Ａと点Ｂを結ぶ破線における断面図を図４（Ｂ）に示している。
【００１５】
まず、本実施の形態における動作玩具１００は、チョコレート片１０１〜１０３を第１の棒状部材２０４又は第２の棒状部材２０５を介して回動することにより、図３に示すようにあたかも板チョコレートを割ったときの動きを真似ることができる。
【００１６】
本実施の形態において、板バネ部材２０２は、図２に示すように、短辺方向から見て下側に向かって湾曲している。これにより、チョコレート片１０１〜１０３に外力を加えた際、つまり、チョコレート片１０１〜１０３を第１の棒状部材２０４又は第２の棒状部材２０５を介して回動したとき、板バネ部材２０２は回動前の状態に戻る方向に弾性を有する。よって、チョコレート片１０１〜１０３に外力を加えた際、板バネ部材２０２より弾性変形による力を受け、あたかも板チョコレートを割る感触を得ることができる。
【００１７】
また、板バネ部材２０２は、チョコレート片１０１〜１０３に加えた外力を取り除いた際、自然に元の状態に戻ろうとするため、チョコレート片を折り曲げない状態と折り曲げた状態を何度でも繰り返し再現することができる。なお、板バネ部材２０２は、短辺方向から見て上側に向かって湾曲していてもよい。また、本実施の形態では、単一部材からなる板バネ部材を用いているが、板バネ部材は複数に分割されていてもよい。複数に分割された板バネを１つの板状食品玩具に組み込むことにより、１つの板状食品玩具において複数のタイミングで割る感触を味わうことが可能である。
【００１８】
また、図中には示していないが、本実施の形態の動作玩具１００には、キーホルダーや携帯ストラップに取り付けるための取付部材を設け、キーホルダーや携帯ストラップ用の玩具とすることができる。
【００１９】
以上のように、本考案によれば、板状食品を割る感覚をリアルに、何度でも繰り返して味わうことができる玩具を提供することが可能である。
【図面の簡単な説明】
【００２０】
【図１】本考案の動作玩具の外観を説明するための図。
【図２】本考案の動作玩具の組立て図を説明するための図。
【図３】本考案の動作玩具の外観を説明するための図。
【図４】本考案の動作玩具の断面構造を説明するための図。
【符号の説明】
【００２１】
１００    動作玩具
２０１ａ  第１の上側チョコレート片部材
２０１ｂ  第２の上側チョコレート片部材
２０１ｃ  第３の上側チョコレート片部材
２０２    板バネ部材
２０３ａ  第１の下側チョコレート片部材
２０３ｂ  第２の下側チョコレート片部材
２０３ｃ  第３の下側チョコレート片部材
【図１】
0003157298.tif 000003
【図２】
0003157298.tif 000004
【図３】
0003157298.tif 000005
【図４】
0003157298.tif 000006
【手続補正書】
【提出日】平成21年11月20日(2009.11.20)
【手続補正１】
【補正対象書類名】実用新案登録請求の範囲
【補正対象項目名】全文
【補正方法】変更
【補正の内容】
【実用新案登録請求の範囲】
【請求項１】
複数の上側食品片部材と、
前記複数の上側食品片部材と対向する複数の下側食品片部材と、
前記複数の上側食品片部材と前記複数の下側食品片部材との間に設けられた板バネ部材と、を有する擬似板状食品動作玩具。
【請求項２】
請求項１において、
１つの前記上側食品片と１つの前記下側食品片とで、一つの食品片を形成し、前記食品片は、隣り合う他の食品片と回動自在に接続されている擬似板状食品動作玩具。
【請求項３】
請求項２において、
前記食品片は、棒状部材を介して前記隣り合う食品片と回転自在に接続されている擬似板状食品動作玩具。
【請求項４】
請求項１乃至請求項３のいずれか一項において、
前記板バネ部材は、短辺方向から見て下側又は上側に湾曲している擬似板状食品動作玩具。